(57)【特許請求の範囲】
【請求項１】
複数の絶縁体層と、
前記複数の絶縁体層に形成された第１、第２のコイルおよびグランドに接続される金属導体と、
前記複数の絶縁体層、前記第１、第２のコイルおよび前記金属導体で構成された積層体と、
前記積層体の表面に前記第１、第２のコイルの両端部、前記金属導体の一端部とそれぞれ接続する第１〜第５の外部電極とを備え、
前記第１のコイルを、第１のビア電極を介して渦巻状の第１のコイル導体および第２のコイル導体を接続して構成するとともに、前記第２のコイルを、第２のビア電極を介して渦巻状の第３のコイル導体および第４のコイル導体を接続して構成し、
上部から前記第１のコイル導体、前記第３のコイル導体、前記第２のコイル導体、前記第４のコイル導体の順に積層し、または、上部から前記第３のコイル導体、前記第１のコイル導体、前記第２のコイル導体、前記第４のコイル導体の順に積層し、
さらに、前記第１のコイル導体と第３のコイル導体を磁気結合させて第１のコモンモードフィルタ部を形成し、前記第２のコイル導体と第４のコイル導体を磁気結合させて第２のコモンモードフィルタ部を形成し、前記第１のコモンモードフィルタ部と第２のコモンモードフィルタ部を直列に接続し、
かつ、前記金属導体を前記第２のコイル導体と前記第３のコイル導体の間に積層するとともに、前記金属導体の他端部を開放し、上面視にて前記第１のビア電極、第２のビア電極のうち少なくとも一方を前記金属導体が囲むようにし、
さらに、前記金属導体を渦巻状に形成し、前記金属導体の巻数を、前記第２、第３のコイル導体の巻数より少なくし、前記金属導体を、上面視で前記第２、第３のコイル導体の最も内側に位置する箇所に設けた
コモンモードノイズフィルタ。
【請求項２】
少なくとも前記第２の外部電極と前記第５の外部電極との間、前記第３の外部電極と前記第５の外部電極との間に、通常は絶縁体として機能し所定以上の電圧が印加されると通電される静電気通過部を形成した請求項１に記載のコモンモードノイズフィルタ。
【発明の詳細な説明】
【技術分野】
【０００１】
本発明は、デジタル機器やＡＶ機器、情報通信端末等の各種電子機器に使用される小形で薄型のコモンモードノイズフィルタに関するものである。
【背景技術】
【０００２】
従来のこの種のコモンモードノイズフィルタは、図１０に示すように、積層された複数の絶縁体層１ａ〜１ｇに形成された第１のコイル２と第２のコイル３とを有し、第１のコイル２は渦巻状の第１、第２のコイル導体４ａ、４ｂを接続して構成され、第２のコイル３は渦巻状の第３、第４のコイル導体５ａ、５ｂを接続して構成され、さらに、第１のコイル２を構成する第１、第２のコイル導体４ａ、４ｂと、第２のコイル３を構成する第３、第４のコイル導体５ａ、５ｂとが交互に配置されていた。そして、第１のコイル導体４ａと第３のコイル導体５ａとを磁気結合させて第１のコモンモードフィルタ部６を形成し、かつ第２のコイル導体４ｂと第４のコイル導体５ｂとを磁気結合させて第２のコモンモードフィルタ部７を形成し、第１のコモンモードフィルタ部６と第２のコモンモードフィルタ部７を直列接続することで、コモンモードインピーダンスを向上させ、コモンモードノイズを除去するようにしていた。
【０００３】
なお、この出願の発明に関する先行技術文献情報としては、例えば、特許文献１が知られている。
【先行技術文献】
【特許文献】
【０００４】
【特許文献１】特開２００２−３７３８１０号公報
【発明の概要】
【発明が解決しようとする課題】
【０００５】
近年のスマートフォンに代表されるようなモバイル端末においては、複数の通信方式と通信帯域をカバーする必要がでてきている。とりわけセルラー系無線方式では７００ＭＨｚ〜３ＧＨｚまでの広い通信帯域が用いられており、ノイズフィルタにおいても前記周波数帯域でのノイズ減衰特性が望まれている。
【０００６】
しかし、上記した従来のコモンモードノイズフィルタにおいては、コモンモードノイズが入ってきたときに、第１のコモンモードフィルタ部６と第２のコモンモードフィルタ部７がインダクタとして働き、さらに互いに積層方向で磁気結合するため、入出力間のインピーダンスが高くなり、これにより、入出力間に電位差が生じるため、入出力間に浮遊容量が発生する。この結果、周波数が高くなると自己共振が起こるため、自己共振周波数以上の高周波領域ではコモンモードインピーダンスが低下し、これにより、高周波領域のコモンモードノイズの減衰特性が劣化するという課題を有していた。
【０００７】
本発明は上記従来の課題を解決するもので、高周波領域のコモンモードノイズの減衰特性を向上させることができるコモンモードノイズフィルタを提供することを目的とするものである。
【課題を解決するための手段】
【０００８】
上記目的を達成するために本発明は、第１のコイルを渦巻状の第１のコイル導体および第２のコイル導体で構成するとともに、第２のコイルを渦巻状の第３のコイル導体および第４のコイル導体で構成し、上部から前記第１のコイル導体、前記第３のコイル導体、前記第２のコイル導体、前記第４のコイル導体の順に積層し、さらに、前記第１のコイル導体と第３のコイル導体を磁気結合させて第１のコモンモードフィルタ部を形成し、前記第２のコイル導体と第４のコイル導体を磁気結合させて第２のコモンモードフィルタ部を形成し、前記第１のコモンモードフィルタ部と第２のコモンモードフィルタ部を直列に接続し、かつ、グランドに接続される金属導体を第２のコイル導体と第３のコイル導体の間に積層するとともに、金属導体の他端部を開放し、上面視にて第１のビア電極、第２のビア電極のうち少なくとも一方を金属導体が囲むようにした構成とした。さらに、金属導体を渦巻状に形成し、金属導体の巻数を、第２、第３のコイル導体の巻数より少なくし、金属導体を、上面視で第２、第３のコイル導体の最も内側に位置する箇所に設けるようにした。
【発明の効果】
【０００９】
本発明のコモンモードノイズフィルタは、コモンモードノイズが入ってきたときに、第１のコモンモードフィルタ部と第２のコモンモードフィルタ部のインダクタとしての作用によりノイズが減衰し、さらに、高周波領域においては、第２のコイル導体または第３のコイル導体とグランドに接続された金属導体との間で発生する容量成分により低インピーダンス成分が加わるため、第１のコモンモードフィルタ部と第２のコモンモードフィルタ部のインピーダンスが周波数ととにも緩やかに上昇するようになり、これにより、自己共振周波数が高くなり、また、高周波領域において高周波のコモンモードノイズをグランドにバイパスさせることができ、この結果、高周波領域のコモンモードノイズの減衰特性を向上させることができ、かつ広帯域のノイズ減衰特性を得ることができるという優れた効果を奏するものである。
【図面の簡単な説明】
【００１０】
【図１】本発明の実施の形態１におけるコモンモードノイズフィルタの分解斜視図
【図２】同コモンモードノイズフィルタの斜視図
【図３】同コモンモードノイズフィルタの回路模式図
【図４】同コモンモードノイズフィルタと従来のコモンモードノイズフィルタのコモンモードノイズ減衰特性を比較した図
【図５】実施の形態１と実施の形態２におけるモードコンバージョンの周波数特性を示した図
【図６】同コモンモードノイズフィルタの主要部の上面図
【図７】同コモンモードノイズフィルタの主要部の上面図
【図８】本発明の実施の形態２におけるコモンモードノイズフィルタの分解斜視図
【図９】同コモンモードノイズフィルタの回路模式図
【図１０】従来のコモンモードノイズフィルタの分解斜視図
【発明を実施するための形態】
【００１１】
（実施の形態１）
図１は本発明の実施の形態１におけるコモンモードノイズフィルタの分解斜視図、図２は同コモンモードノイズフィルタの斜視図、図３は同コモンモードノイズフィルタの回路模式図である。
【００１２】
本発明の実施の形態１におけるコモンモードノイズフィルタは、図１〜図３に示すように、第１〜第８の絶縁体層１１ａ〜１１ｈと、第１〜第８の絶縁体層１１ａ〜１１ｈに形成された第１のコイル１２、第２のコイル１３およびグランドに接続される金属導体１４と、第１〜第８の絶縁体層１１ａ〜１１ｈ、第１、第２のコイル１２、１３および金属導体１４で構成された積層体１５とを備えている。
【００１３】
また、第１のコイル１２を渦巻状の第１のコイル導体１６および第２のコイル導体１７で構成するとともに、第２のコイル１３を渦巻状の第３のコイル導体１８および第４のコイル導体１９で構成し、上部から第１のコイル導体１６、第３のコイル導体１８、第２のコイル導体１７、第４のコイル導体１９の順に積層し、さらに、第１のコイル導体１６と第３のコイル導体１８を磁気結合させて第１のコモンモードフィルタ部２０を形成し、第２のコイル導体１７と第４のコイル導体１９を磁気結合させて第２のコモンモードフィルタ部２１を形成し、第１のコモンモードフィルタ部２０と第２のコモンモードフィルタ部２１を直列に接続している。
【００１４】
そして、金属導体１４の他端部１４ｂを開放するとともに、金属導体１４を第２のコイル導体１７と第３のコイル導体１８の間に積層している。
【００１５】
上記構成において、前記第１〜第８の絶縁体層１１ａ〜１１ｈは、下から順に積層され、また、第２〜第７の絶縁体層１１ｂ〜１１ｇは強磁性体ではない材料、例えばＣｕ−Ｚｎフェライト、ガラスセラミック等の非磁性材料によりシート状に構成されている。そして、第１、第８の絶縁体層１１ａ、１１ｈは、シート状に構成されたＮｉ−Ｃｕ−Ｚｎフェライト等の磁性材料で形成されている。
【００１６】
なお、第２〜第７の絶縁体層１１ｂ〜１１ｇの中央部に磁芯としての磁性物を形成してもよく、第１〜第８の絶縁体層１１ａ〜１１ｈをすべて非磁性材料で構成してもよい。そして、第１〜第８の絶縁体層１１ａ〜１１ｈを構成するシートの枚数は、図１に示された枚数に限られるものではない。
【００１７】
また、前記第１のコイル１２を、渦巻状の第１のコイル導体１６および渦巻状の第２のコイル導体１７で構成し、第２のコイル１３を、渦巻状の第３のコイル導体１８および渦巻状の第４のコイル導体１９で構成している。
【００１８】
そして、前記第１〜第４のコイル導体１６〜１９は、それぞれ銀等の導電材料を渦巻状にめっきまたは印刷することにより形成されている。
【００１９】
このとき、第１のコイル導体１６は第６の絶縁体層１１ｆの上面、第２のコイル導体１７は第３の絶縁体層１１ｃの上面、第３のコイル導体１８は第５の絶縁体層１１ｅの上面、第４のコイル導体１９は第２の絶縁体層１１ｄの上面にそれぞれ形成されている。
【００２０】
すなわち、第１のコイル１２を構成する第１、第２のコイル導体１６、１７と第２のコイル１３を構成する第３、第４のコイル導体１８、１９とを交互に配置するように積層されている。ここで、上面視にて第１のコイル導体１６と第３のコイル導体１８の一部を略同じ位置に配置し、巻き方向も同一方向とすることによって磁気結合させて第１のコモンモードフィルタ部２０を形成し、同様に、上面視にて第２のコイル導体１７と第４のコイル導体１９の一部を略同じ位置に配置し、巻き方向も同一方向とすることによって磁気結合させて第２のコモンモードフィルタ部２１を形成している。
【００２１】
また、第１のコイル導体１６と第２のコイル導体１７とは、第４〜第６の絶縁体層１１ｄ〜１１ｆにそれぞれ形成された第１のビア電極１２ａを介して互いに接続され、第１のコイル１２が構成される。さらに、第３のコイル導体１８と第４のコイル導体１９とは、第３〜第５の絶縁体層１１ｃ〜１１ｅにそれぞれ形成された第２のビア電極１３ａを介して互いに接続され、第２のコイル１３が構成される。
【００２２】
なお、第１のビア電極１２ａはそれぞれ上面視にて同じ位置に設けられ、第２のビア電極１３ａもそれぞれ上面視にて同じ位置に設けられている。また、第１のビア電極１２ａ、第２のビア電極１３ａは、各絶縁体層の所定の箇所に、レーザで孔あけ加工をし、この孔に銀を充填して形成する。
【００２３】
さらに、前記金属導体１４は、第４の絶縁体層１１ｄの上面に、銀などの金属を印刷、めっきする等して形成する。したがって、金属導体１４は、第２のコイル導体１７と第３のコイル導体１８との間、すなわち、第１のコモンモードフィルタ部２０と第２のコモンモードフィルタ部２１との間に配置される。
【００２４】
また、金属導体１４の一端部１４ａは外部電極を介してグランドに接続されるが、他端部１４ｂは開放され、外部の電極とは接続されていない。
【００２５】
ここで、金属導体１４の形状を図１に示すように渦巻状としているため、金属導体１４と第２、第３のコイル導体１７、１８との間のコンデンサ成分を容易に調整でき、さらに、コモンモードノイズ減衰の周波数特性を調整できるため、より好ましい。
【００２６】
そして、金属導体１４の形状が渦巻状の場合、第１〜第４のコイル導体１６〜１９の巻き方向と同じ向きとしてもよいし、逆向きとしてもよい。
【００２７】
さらに、金属導体１４の巻数を、第２、第３のコイル導体１７、１８の巻数より少なくしている。
【００２８】
コモンモードノイズが入ってきたときに、第１のコモンモードフィルタ部２０と第２のコモンモードフィルタ部２１はともに、インダクタとして働くが、同時に第１のコモンモードフィルタ部２０と第２のコモンモードフィルタ部２１は積層方向で更に磁気結合し、大きなひとつのインダクタとして働いている。そして、渦巻き状の金属導体１４の一端１４ｂを開放した構成としているため、第１のコモンモードフィルタ部２０と第２のコモンモードフィルタ部２１との磁気結合を遮蔽しにくくなるため、コモンモードインピーダンスの低下を防ぎ、コモンモードノイズの除去能力低下を防ぐことができる。実際に、上面視にて第１のビア電極１２ａ、第２のビア電極１３ａの両方の周囲を渦巻状の金属導体１４が１巻きの閉ループを形成しグランドに接続された場合、他端１４ｂを開放しオープン状態にした１巻きの渦巻状の金属導体１４と比べると、コモンモードのインピーダンスが約３５％程度低下することが確認されている。
【００２９】
なお、図１では、上面視にて第１のビア電極１２ａ、第２のビア電極１３ａの両方の周囲を渦巻状の金属導体１４が囲むようにしているが、第１のビア電極１２ａ、第２のビア電極１３ａのうち一方の周囲を囲むようにしてもよい。このとき、第１のビア電極１２ａ、第２のビア電極１３ａの周囲を１周以上の金属導体１４が囲んでいる。また、金属導体１４の第１のビア電極１２ａ、第２のビア電極１３ａの周囲を囲んでいる部分以外の箇所を、蛇行状などの他の形状に構成してもよい。
【００３０】
また、金属導体１４を、上面視で第２、第３のコイル導体１７、１８の最も内側に位置する箇所に設けている。
【００３１】
そして、上記した構成により、図２に示すように、積層体１５が形成される。また、この積層体１５の両端面には、第１〜第４の外部電極２２〜２５が設けられ、そしてこの第１〜第４の外部電極２２〜２５はそれぞれ第１〜第４のコイル導体１６〜１９の一端部、すなわち第１のコイル１２の両端部、第２のコイル１３の両端部と接続されている。さらに、積層体１５の両側面には、金属導体１４の一端部１４ａと接続される第５の外部電極２６が形成されている。
【００３２】
さらにまた、前記第１〜第５の外部電極２２〜２６は、積層体１５の端面、側面に銀を印刷することにより形成され、またこれらの表面にめっきによってニッケルめっき層を形成するとともに、このニッケルめっき層の表面にめっきによってすずやはんだ等の低融点金属めっき層を形成する。
【００３３】
上記したように本発明の実施の形態１におけるコモンモードノイズフィルタにおいては、コモンモードノイズが入ってきたときに、第１のコモンモードフィルタ部２０と第２のコモンモードフィルタ部２１のインダクタとしての作用によりノイズが減衰し、さらに、高周波領域においては、第２のコイル導体１７または第３のコイル導体１８とグランドに接続された金属導体１４との間で発生する容量成分により低インピーダンス成分が加わるため、第１のコモンモードフィルタ部２０と第２のコモンモードフィルタ部２１のインピーダンスが周波数ととにも緩やかに上昇するようになり、これにより、自己共振周波数が高くなり、また、高周波領域において高周波のコモンモードノイズをグランドにバイパスさせることができ、この結果、高周波領域のコモンモードノイズの減衰特性を向上させることができるため、広帯域のノイズ減衰特性を得ることができるという効果が得られるものである。
【００３４】
すなわち、コモンモードノイズが入ってきたときに、第１のコモンモードフィルタ部２０と第２のコモンモードフィルタ部２１がインダクタとして動作するが、従来例では周波数が高くなるとインピーダンスが高くなり、コモンモードフィルタの入出力部で電位差が発生し、入出力間で浮遊容量が発生し、自己並列共振してしまう。一方、本実施例では、第１のコモンモードフィルタ部２０と第２のコモンモードフィルタ部２１がインダクタとして動作しコモンモードノイズを除去しながら、周波数が高くなると第２のコイル導体１７、第３のコイル導体１８と金属導体１４との間の容量成分によりインピーダンスが低下し、コモンモードフィルタの入出力間の電位差が高くなるすぎるのを抑制し、入出力間の浮遊容量の発生を抑制することで自己並列共振周波数が高くなるとともに、さらに第２のコイル導体１７、第３のコイル導体１８と金属導体１４との間の容量成分によりグランドへのコモンモードノイズをバイパスすることができるため、広帯域でコモンモードノイズ減衰させることができる。
【００３５】
したがって、第１のコモンモードフィルタ部２０と第２のコモンモードフィルタ部２１の自己共振周波数と、第２のコイル導体１７、第３のコイル導体１８と金属導体１４との間の容量成分によってより高周波帯域のコモンモードノイズをグランドにバイパスさせることできるため、広帯域でコモンモードノイズ減衰させることが可能となる。
【００３６】
ここで、図４に、本発明の実施の形態１におけるコモンモードノイズフィルタと従来のコモンモードノイズフィルタのコモンモードノイズの減衰特性を比較した図を示す。
【００３７】
図４から明らかなように、従来のコモンモードノイズフィルタより本発明の実施の形態１におけるコモンモードノイズフィルタの方が、高周波領域のコモンモードノイズを減衰させることができ、この結果、セルラー系無線方式の通信周波数帯域７００ＭＨｚ〜３ＧＨｚにおいて広帯域でのコモンモードノイズを減衰させることができる。
【００３８】
また、図４でのコモンモードノイズ減衰特性において、従来例では８００ＭＨｚ近傍に自己共振周波数が有るのに対して、本実施の形態１では、１．５ＧＨｚ近傍まで自己共振周波数が伸びインダクタとして動作することでコモンモード減衰させることができ、さらに２．４ＧＨｚ近傍までのグランド接続された金属導体１４との間の容量成分の共振周波数帯まで高いコモンモード減衰能力を実現することができる。
【００３９】
しかしながら、この構成では、第２、第３のコイル導体１７、１８と金属導体１４との間で浮遊容量が発生し、ディファレンシャル（差動）信号のバランスを崩してしまい、ディファレンシャルモードからコモンモードへのモード変換が発生してしまい、信号品質を劣化させてしまう可能性がある。
【００４０】
ここで、金属導体１４を、上面視で第２、第３のコイル導体１７、１８の最も外側に位置する箇所に設けた場合、第３のコイル導体１８の外部電極２４近傍と、第２のコイル導体１７の外部電極２３近傍との間、つまりコモンモードフィルタの入出力端子間で、渦巻き状の金属導体１４を介して浮遊容量が発生してしまい、ディファレンシャル（差動）信号のバランスが失われ、モードコンバージョンが発生し、信号品質が劣化してしまう。しかしながら、図１に示すように、本実施の形態１では金属導体１４を、上面視で第２、第３のコイル導体１７、１８の最も内側に位置する箇所、つまり第１のコイル１２と第２のコイル１３の、それぞれ中央部分の積層層間を接続するビア電極１２ａ、１３ａ近傍に配置されているため、入出力端子間での浮遊容量は発生しにくくなり、これにより、ディファレンシャルモードからコモンモードへのモード変換が発生しにくくなるため、信号品質が劣化しにくくなる。
【００４１】
なお、金属導体１４を、上面視で第２、第３のコイル導体１７、１８の最も内側に位置する箇所に設ける、ということは必ずしも金属導体１４と第２、第３のコイル導体１７、１８とを対向させることを意味するのではなく、金属導体１４をビア電極１２ａ、１３ａの近傍に形成することをいう。
【００４２】
すなわち、金属導体１４を、上面視で第２、第３のコイル導体１７、１８の最も外側に位置する箇所に設けた場合（外巻という）場合より、金属導体１４を、上面視で第２、第３のコイル導体１７、１８の最も内側に位置する箇所に設けた場合（内巻という）の方が、モード変換特性が良好である。
【００４３】
図５に、本実施の形態１のコモンモードノイズフィルタにおいて、渦巻き状の金属導体１４を外巻きにした場合と内巻きにした場合とのディファレンシャルモードからコモンモードへのモード変換の周波数特性を示している。
【００４４】
図５から明らかなように、金属導体１４が外巻きの場合、１ＧＨｚ以上の高周波領域において急激に劣化しており、内巻きにすることによって大きくモード変換が抑制されることが分かる。
【００４５】
また、第１〜第４の外部電極２２〜２５と第５の外部電極２６との間に、通常は絶縁体として機能し所定以上の電圧が印加されると通電される静電気通過部２７を形成してもよい。
【００４６】
この静電気通過部２７の構成としては、図６に示すように、静電気通過用絶縁体層２８の上面に、第１〜第５の外部電極２２〜２６とそれぞれ接続された（第１〜第４の外部電極２２〜２５を介して第１〜第４のコイル導体１６〜１９と接続された、第５の外部電極２６を介して金属導体１４と接続された）第１〜第５の静電気通過用導体１６ａ〜１９ａ、１４ｃを形成し、第１〜第４のコイル導体１６〜１９に接続された第１〜第４の静電気通過用導体１６ａ〜１９ａと金属導体１４に接続された第５の静電気通過用導体１４ｃとの間に隙間をあけ、その隙間を電圧依存性抵抗材料２９が覆う構成となっている。
【００４７】
なお、静電気通過用絶縁体層２８は、前記第１の絶縁体層１１ａ、または第７の絶縁体層１１ｇ、あるいは前記第１〜第８の絶縁体層１１ａ〜１１ｈと異なる他の絶縁体層である。
【００４８】
また、電圧依存性抵抗材料２９は無くてもよいが、電圧依存性抵抗材料２９があった方が、より静電気通過部２７としての機能が向上する。
【００４９】
ここで、電圧依存性抵抗材料２９としては、酸化亜鉛を主成分とするセラミック材料等のバリスタ材料や、アルミニウム、ニッケル、銅のうち少なくとも１つを含む金属粉と、シリコン、エポキシ、フェノールのうち少なくとも１つを含む樹脂等からなる材料を使用することができる。
【００５０】
さらに、図７に示すように、第５の静電気通過用導体１４ｃを、静電気通過用絶縁体層２８と隣接する他の静電気通過用絶縁体層２８ａの上面に形成してもよい。
【００５１】
この場合、第１〜第４の静電気通過用導体１６ａ〜１９ａの一部と第５の静電気通過用導体１４ｃの一部とを上面視で対向させ、また、第１〜第４の静電気通過用導体１６ａ〜１９ａと第５の静電気通過用導体１４ｃとの間の静電気通過用絶縁体層２８、２８ａを、電圧依存性抵抗材料２９で構成する。このとき、静電気通過部２７は、第１〜第４の静電気通過用導体１６ａ〜１９ａ、第５の静電気通過用導体１４ｃ、これらの間の静電気通過用絶縁体層２８、２８ａで構成される。
【００５２】
上記構成により、金属導体１４は、高周波のコモンモードノイズをグランドにバイパスさせる機能と、過電圧をグランドに逃がす機能の両方を備えることになる。したがって、通常の電流が流入したときは静電気通過部２７が絶縁体となって通常のコモンモードノイズフィルタの機能を果たし、所定以上の電圧が印加されると静電気通過部２７に電流が通電されて、電流は第１〜第４の外部電極２２〜２５から第５の外部電極を介してグランドへ流出する。
【００５３】
さらに、金属導体１４と第２、第３のコイル導体１７、１８とが隣接するため、この間で静電気によって絶縁破壊され易くなるが、第５の外部電極２６と第２、第３の外部電極２３、２４との間、すなわち、金属導体１４と第２、第３のコイル導体１７、１８との間に静電気通過部２７を形成することによって、絶縁破壊され難くなる。なお、第５の外部電極２６と第１、第４の外部電極２２、２５との間には静電気通過部２７が無くてもよいが、差動信号のバランスを保つために、あった方が好ましい。
【００５４】
（実施の形態２）
図８は本発明の実施の形態２におけるコモンモードノイズフィルタの分解斜視図である。なお、この本発明の実施の形態２においては、上記した本発明の実施の形態１と同様の構成を有するものについては、同一符号を付しており、その説明は省略する。
【００５５】
本発明の実施の形態２が上記した本発明の実施の形態１と相違する点は、図８に示すように、第２のコイル１３を構成する第３のコイル導体１８と第４のコイル導体１９との間に、第１のコイル１２を構成する第１のコイル導体１６と第２のコイル導体１７を配置した点である。ここで、この場合の回路模式図を図９に示す。
【００５６】
実施の形態１では、ディファレンシャル（差動）信号が入ってきたときには、電位の違う第２のコイル導体１７と第３のコイル導体１８とが積層方向に対向していたため浮遊容量が発生し、この浮遊容量によりディファレンシャルモードからコモンモードへのモード変換が発生し、信号品質が劣化していたが、本実施の形態２では、積層方向で対向している第１のコイル導体１６と第２のコイル導体１７とは同電位であり浮遊容量が発生しにくくなっており、ディファレンシャルモードからコモンモードへのモード変換が大幅に低減でき、信号品質の劣化を防ぐことができる。
【００５７】
図５に、本実施の形態２におけるディファレンシャルモードからコモンモードへのモード変換の周波数特性比較を、実施の形態１におけるモード変換の周波数特性とあわせて示している。
【００５８】
図５から明らかなように、実施の形態１より実施の形態２のほうがモード変換が大幅に抑制されているのが分かる。
【００５９】
さらに、差動信号が入ってきた場合には、第１のコイル導体１６、第２のコイル導体１７が同電位であるため浮遊容量が発生せず、ディファレンシャルモードの特性インピーダンスの低下による差動信号の劣化を防ぐという作用効果を有する。
【００６０】
本実施例においても、本発明の実施の形態１と同様に、高周波領域のコモンモードノイズの減衰特性を向上させ、広帯域でのコモンモードノイズ減衰特性を実現できる。
【００６１】
また、上記した本発明の実施の形態１、２におけるコモンモードノイズフィルタにおいては、第１のコイル１２、第２のコイル１３をそれぞれ１つ設けたものについて説明したが、２つ以上設けてアレイタイプとしてもよい。
【００６２】
さらに、第１のコモンモードフィルタ部２０と第２のコモンモードフィルタ部２１をそれぞれ１つ設けたものについて説明したが、２つ以上設けてもよい。
【産業上の利用可能性】
【００６３】
本発明に係るコモンモードノイズフィルタは、高周波領域のコモンモードノイズの減衰特性を向上させることができるという効果を有するものであり、特にデジタル機器やＡＶ機器、情報通信端末等の各種電子機器のノイズ対策として使用される小形で薄型のコモンモードノイズフィルタ等において有用となるものである。
【符号の説明】
【００６４】
１１ａ〜１１ｈ  第１〜第８の絶縁体層
１２  第１のコイル
１３  第２のコイル
１４  金属導体
１５  積層体
１６  第１のコイル導体
１７  第２のコイル導体
１８  第３のコイル導体
１９  第４のコイル導体
２０  第１のコモンモードフィルタ部
２１  第２のコモンモードフィルタ部
２２〜２６  第１〜第５の外部電極
【図１】
0006273498.tif 000002
【図２】
0006273498.tif 000003
【図３】
0006273498.tif 000004
【図４】
0006273498.tif 000005
【図５】
0006273498.tif 000006
【図６】
0006273498.tif 000007
【図７】
0006273498.tif 000008
【図８】
0006273498.tif 000009
【図９】
0006273498.tif 000010
【図１０】
0006273498.tif 000011